(57)【要約】【課題】欄干パネルと建築構造物との間隙寸法が限られていても、容易にフィルムを貼付することのできる乗客コンベアの欄干フィルム貼付装置、及び乗客コンベアの欄干フィルム貼付方法の提供。【解決手段】ハンドレール２を案内支持する欄干パネル４にフィルムを貼付する乗客コンベアの欄干フィルム貼付装置６として、上下に対となって設けられ、ロール状のフィルム５を回転可能に軸支する筐体６１ａ、６１ｂと、筐体に設けられ貼付作業時に作業員が把持する把持部６２と、上部筐体６１ａに設けられると共に、ハンドレール上面に懸架され、ハンドレール上面に沿って移動する懸架部６３と、筐体の反進行方向端部に設けられ、フィルムを欄干パネルに圧着する圧着ヘラ部６４とを備え、フィルムを筐体に軸支した状態で懸架部をハンドレール上面に懸架し、この状態で懸架部を移動させ、フィルムを欄干パネル上に送りだすと共に、圧着ヘラ部によりフィルムを欄干パネルに圧着するようにしたものである。【選択図】図１
2014152034.tif 000002
【特許請求の範囲】
【請求項１】
踏段と同期移動するハンドレールを案内支持する欄干パネルにフィルムを貼付する乗客コンベアの欄干フィルム貼付装置において、
上下に対となって設けられ、ロール状の前記フィルムを回転可能に軸支する上部筐体及び下部筐体と、前記上部筐体及び前記下部筐体に設けられ貼付作業時に作業員が把持する把持部と、前記上部筐体に設けられると共に、前記ハンドレールの上面に懸架され、前記ハンドレールの上面に沿って移動する懸架部と、前記上部筐体及び前記下部筐体の反進行方向端部に設けられ、前記フィルムを前記欄干パネルに圧着する圧着ヘラ部とを備えたことを特徴とする乗客コンベアの欄干フィルム貼付装置。
【請求項２】
前記懸架部に、前記ハンドレールの上面を摺動するローラを設けたことを特徴とする請求項１記載の乗客コンベアの欄干フィルム貼付装置。
【請求項３】
前記筐体に回転可能に軸支され、前記フィルムの剥離シートを巻取る巻取り部を設けたことを特徴とする請求項１記載の乗客コンベアの欄干フィルム貼付装置。
【請求項４】
踏段と同期移動するハンドレールを案内支持する欄干パネルにフィルムを貼付する乗客コンベアの欄干フィルム貼付方法において、
ロール状の前記フィルムを上下に対となって設けられた上部筐体及び下部筐体に回転可能に軸支した状態で、前記上部筐体に設けられた懸架部を前記ハンドレールの上面に懸架して前記フィルムを前記欄干パネルの高さ方向に延在するように配置し、前記上部筐体及び前記下部筐体に設けられた把持部を把握して前記懸架部を前記ハンドレールの上面に沿って移動させ、前記フィルムを前記欄干パネル上に送りだすと共に、前記筐体の反進行方向端部に支持された圧着ヘラ部により前記フィルムを前記欄干パネルに圧着することを特徴とする乗客コンベアの欄干フィルム貼付方法。
【発明の詳細な説明】
【技術分野】
【０００１】
本発明は、乗客コンベアの欄干フィルム貼付装置、及びフィルム貼付方法に関する。
【背景技術】
【０００２】
乗客コンベアの欄干パネルに貼付され、欄干パネルを構成する強化処理を施した強化ガラスが破損したときに破片が飛散することを防止したり、欄干パネルの意匠効果を創出したりするためのフィルムに係る背景技術として、特開平３−２３１８７号公報（特許文献１）がある。この公報には、乗客コンベアの踏段の移動と同期移動するハンドレールと、このハンドレールを案内支持する欄干パネルとを備えた欄干であって、その欄干パネルは強化ガラスで作製されており、その反踏段側の全面に飛散防止フィルムが貼付されているものにおいて、前記飛散防止フィルムの一部が一定形状に切抜かれており、この切抜き部の強化ガラスの面上に、文字、模様、数字の任意の組合せからなる案内注意事項を表示した表示フィルムが貼付されていることを特徴とする、と記載されている。
【先行技術文献】
【特許文献】
【０００３】
【特許文献１】特開平３−２３１８７号公報
【発明の概要】
【発明が解決しようとする課題】
【０００４】
しかしながら、前述したものでは、既設の乗客コンベアの欄干パネルにフィルムを貼付する貼付作業に関して特に考慮されていないため、欄干パネルと壁面等の建築構造物との間隙寸法が限られている場合、貼付作業のためのスペースが十分に確保できず、したがって、作業効率の観点から欄干パネルを一旦取外し、次いでフィルムを貼付し、この後欄干パネルを再び取付ける必要があり、貼付作業に手間がかかるという課題があった。
【０００５】
本発明は、前述した従来技術における実状からなされたもので、その目的は、欄干パネルと建築構造物との間隙寸法が限られていても、容易にフィルムを貼付することのできる乗客コンベアの欄干フィルム貼付装置、及びフィルム貼付方法を提供することにある。
【課題を解決するための手段】
【０００６】
前記目的を達成するために、本発明は、踏段と同期移動するハンドレールを案内支持する欄干パネルにフィルムを貼付する乗客コンベアの欄干フィルム貼付装置において、上下に対となって設けられ、ロール状の前記フィルムを回転可能に軸支する上部筐体及び下部筐体と、前記上部筐体及び前記下部筐体に設けられ貼付作業時に作業員が把持する把持部と、前記上部筐体に設けられると共に、前記ハンドレールの上面に懸架され、前記ハンドレールの上面に沿って移動する懸架部と、前記上部筐体及び前記下部筐体の反進行方向端部に設けられ、前記フィルムを前記欄干パネルに圧着する圧着ヘラ部とを備えたことを特徴としている。
【０００７】
このように構成した本発明では、ロール状のフィルムを上下部の筐体に軸支した状態で懸架部をハンドレールの上面に懸架してフィルムを欄干パネルの高さ方向に延在するように配置し、この状態で懸架部を把持部を把持しながらハンドレールの上面に沿って移動させ、フィルムを欄干パネル上に送りだすと共に、筐体の反進行方向端部に支持された圧着ヘラ部によりフィルムを欄干パネルに圧着していく。
【発明の効果】
【０００８】
本発明によれば、欄干パネルと建築構造物との間隙寸法が限られていても、容易にフィルムを貼付することができる。そして、既設の乗客コンベアにおけるフィルムの貼付作業に係る労力、時間の低減を図ることができる。
【図面の簡単な説明】
【０００９】
【図１】本発明に係る乗客コンベアの欄干フィルム貼付装置の一実施例を示す一部断面図である。
【図２】図１の矢印Ａから見た側面図である。
【図３】図２のＢ−Ｂ線に沿う断面図である。
【発明を実施するための形態】
【００１０】
以下、本発明に係る乗客コンベアの欄干フィルム貼付装置、及び乗客コンベアの欄干フィルム貼付方法の実施例を図に基づき説明する。
【００１１】
乗客コンベア、例えばエスカレータは、図１に示すように、無端状に連結されて移動する踏段１と、この踏段１と同期移動するハンドレール２と、踏段１の進行方向に沿って延設され、内デッキ３ａ、及び外デッキ３ｂからなるデッキ３と、このデッキ３に立設され、ハンドレール２を案内支持する強化ガラス製の欄干パネル４とを有している。なお、前述したハンドレール２、及び欄干パネル４で欄干を構成している。
【００１２】
そして、欄干パネル４の外面４ａにフィルム５を貼付する乗客コンベアの欄干フィルム貼付装置６は、図１乃至図３に示すように、上下に対となって設けられ、ロール状のフィルム５を回転可能に軸支する上部筐体６１ａ、下部筐体６１ｂ（以下、上下部の筐体や、単に筐体ともいう）と、これら筐体６１ａ、６１ｂに設けられ、貼付作業時に作業員が把持する把持部６２と、前記上部筐体６１ａに設けられると共に、ハンドレール２の上面に懸架され、ハンドレール２の上面に沿って移動する懸架部６３と、筐体６１ａ、６１ｂの反進行方向端部に設けられ、フィルム５を欄干パネル４に圧着する圧着ヘラ部６４と、懸架部６３に設けられ、ハンドレール２の上面を摺動するローラ６５と、筐体６１ａ、６１ｂに回転可能に軸支され、フィルム５の剥離シート５ｂを巻取る巻取り部６６とを備えている。
【００１３】
フィルム５は、例えば樹脂フィルム５ａからなり、その片面に粘接着剤が塗布されていると共に、この片面にシリコーン離型剤を塗布した剥離シート５ｂがラミネートされている。そして、欄干パネル４の長手方向直線部の長さより長い寸法が芯部材に巻回されている。
【００１４】
筐体６１ａ、６１ｂは、例えば樹脂材で作製され、懸架部６３を有さない下部筐体６１ｂが外デッキ３ｂの上面を円滑に摺動できるようになっている。
【００１５】
巻取り部６６は、例えば空回り可能に上下部の筐体６１ａ、６１ｂに軸支され、フィルム５の貼付作業の際、手動にて回転させつつ剥離シート５ｂを巻取るようになっている。
【００１６】
本実施例にあっては、まずロール状のフィルム５の芯部材を上下部の筐体６１ａ、６１ｂに軸支し、フィルム５を剥離シート５ｂと共に引き出しながら所望の長さ引き剥がすと共に、剥離シート５ｂを剥離し、この剥離した剥離シート５ｂを巻取り部６６に巻き付ける。次いで下階層における欄干パネル４の直線部が始まる位置にて懸架部６３をハンドレール２の上面に懸架し、欄干フィルム貼付装置６を欄干パネル４の高さ方向に沿って略垂直となるように配置し、フィルム５を欄干パネル４の高さ方向に延在するように配置する。
【００１７】
この時、懸架部６３に設けられたローラ６５がハンドレール２の上面に当接すると共に、懸架部６３を有さない下部筐体６１ｂは外デッキ３ｂの上面に当接する。この後、剥離シート５ｂを剥がした樹脂フィルム５ａの先端をしわの発生しないように引っ張りながら欄干パネル４の外面４ａに貼付し、この貼付した部分に圧着ヘラ部６４を位置させる。この状態で作業員は図１に示すように、把持部６２を把持しながら、懸架部６３をハンドレール２の上面に沿って移動させ、フィルム５の樹脂フィルム５ａを欄干パネル４の外面４ａ上に送りだすと共に、圧着ヘラ部６４により樹脂フィルム５ａを欄干パネル４の外面４ａに圧着していく。
【００１８】
樹脂フィルム５ａを欄干パネル４の外面４ａ上に送りだすことに伴い、剥離シート５ｂが樹脂フィルム５ａから剥離されるが、この剥離された剥離シート５ｂは、順次巻取り部６６を手動にて回転させつつ、この巻取り部６６に巻回されていく。このようにして、欄干パネル４の直線部にあって下方から上方に向かって順次樹脂フィルム５ａを貼付する。
【００１９】
本実施例によれば、対となって設けられ、ロール状のフィルム５を回転可能に軸支する上下部の筐体６１ａ、６１ｂと、これら上下部の筐体６１ａ、６１ｂに設けられ、貼付作業時に作業員が把持する把持部６２と、前記上部筐体６１ａに設けられると共に、ハンドレール２の上面に懸架され、ハンドレール２の上面に沿って移動する懸架部６３と、上下部の筐体６１ａ、６１ｂの反進行方向端部に設けられ、フィルム５を欄干パネル４に圧着する圧着ヘラ部６４とを有する欄干フィルム貼付装置６によりフィルム５の貼付を行うことで欄干パネル４と建築構造物７との間隙寸法が限られていても、容易にフィルム５を貼付することができ、これによって、既設の乗客コンベアにおけるフィルム５の貼付作業に係る労力、時間の低減を図ることができる。
【００２０】
また、懸架部６３に、ハンドレール２の上面を摺動するローラ６５を設けたことにより、欄干フィルム貼付装置６の移動を円滑に行うことがきる。さらに、上下部の筐体６１ａ、６１ｂに回転可能に軸支され、フィルム５の剥離シート５ｂを巻取る巻取り部６６を設けたことにより、剥離した剥離シート５ｂを速やかに巻取り、フィルム貼付作業を円滑に行うことができる。
【００２１】
なお、本発明は前述した実施例に限定されるものではなく、様々な変形例が含まれる。例えば前述した実施例では、欄干フィルム貼付装置６により欄干パネル４の直線部にフィルム５を貼付するものについて説明したが、エスカレータの欄干パネル４にはＲ部が存在するため、この部分に関しては、例えば圧着ヘラ部６４を上下部の筐体６１ａ、６１ｂから取外しできる取外し式とし、別途型取りカットしたフィルムを欄干パネル４のＲ部の外面４ａに仮付した後、取外した圧着ヘラ部６４のみを用いて手作業にてフィルムを欄干パネル４の外面４ａに圧着し、貼付することができる。また、巻取り部６６は、空回り可能に上下部の筐体６１ａ、６１ｂに軸支され、手動にて回転させつつ剥離シート５ｂを巻回するようにしたが、モータ等の駆動部を設け、自動的に剥離シート５ｂを巻回するようにしても良い。また、乗客コンベアの一例としてエスカレータに適用した例を説明したが、乗客コンベアの他の例として動く歩道に適用しても良い。本明細書においては、「踏段」の用語は動く歩道における踏板も含むものとする。
【符号の説明】
【００２２】
１  踏段
２  ハンドレール
４  欄干パネル
５  フィルム
６  欄干フィルム貼付装置
６１ａ  上部筐体
６１ｂ  下部筐体
６２  把持部
６３  懸架部
６４  圧着ヘラ部
６５  ローラ
６６  巻取り部
【図１】
2014152034.tif 000003
【図２】
2014152034.tif 000004
【図３】
2014152034.tif 000005